(57)【要約】  【課題】  第１面にプリント済の用紙を給紙カセットに再セットして、第２面にプリントする場合に、ユーザの負担を軽減しつつ出力物のミスを減らすことができる画像形成装置を提供すること。  【解決手段】  ＩＣタグが装着された用紙の第１面へのプリント時に、ＩＣタグにパターン情報を書き込む（Ｓ１０〜Ｓ１７）。パターン情報は、用紙上のＩＣタグの位置に対し画像の天がどの方向を向いているのかを示すものである。第１面にプリント済の用紙を給紙カセットに再セットし、第２面へのプリントをする際に、ＩＣタグからパターン情報を読み出し（Ｓ１３で「ＹＥＳ」）、ＩＣタグの位置に対する第２面へのプリント時の画像の天と向きが第１面にプリント済の画像の天の向きと合っているかを確認しその結果から画像回転の要否を求める（Ｓ１９）。回転の必要があれば画像データに回転処理を施し（Ｓ２１）、第２面へのプリントを実行する（Ｓ２２〜Ｓ２４）。【選択図】  図１３
2007015294.tif 000002
【特許請求の範囲】
【請求項１】
ＩＣタグが装着されたシートに画像を形成する画像形成装置であって、
前記シートの第１面に形成される画像の画像形成条件に関する情報をＩＣタグとの無線通信により前記ＩＣタグに書き込む書込手段と、
当該画像形成装置から排出された第１面への画像形成後のシートが、当該第１面の裏側にあたる第２面への画像形成に供される際に、当該シートに装着されているＩＣタグから前記情報を前記ＩＣタグとの無線通信により読み出す読出手段と、
読み出された情報から第２面への画像形成条件を決める決定手段と、
決定された画像形成条件に基づいて第２面への画像形成を実行する画像形成手段と、
を備えることを特徴とする画像形成装置。
【請求項２】
前記画像形成条件に関する情報は、第１面への画像形成の際の、前記シート上におけるＩＣタグの装着位置を示す位置情報であり、
前記決定手段は、前記位置情報と、第２面への画像形成の際の、前記シート上におけるＩＣタグの装着位置とに応じて、第２面に形成すべき画像の天地を前記画像形成条件として決めることを特徴とする請求項１に記載の画像形成装置。
【請求項３】
前記シートに綴じ代を設ける綴じ代形成手段を備え、
前記決定手段は、前記シート上の綴じ代の形成位置も参照して、第２面に形成すべき画像の天地を決めることを特徴とする請求項２に記載の画像形成装置。
【請求項４】
前記画像形成条件に関する情報は、第１面への形成画像がカラー／モノクロのいずれであったか、その形成画像の倍率、階調、解像度の少なくとも１つの条件を含む情報であり、
前記決定手段は、第１面への条件と同じ条件を第２面への画像形成の際における画像形成条件として決めることを特徴とする請求項１に記載の画像形成装置。
【発明の詳細な説明】
【技術分野】
【０００１】
本発明は、ＩＣタグが装着されたシートに画像を形成する画像形成装置に関する。
【背景技術】
【０００２】
近年、ＩＣタグ、いわゆるＲＦ−ＩＤ（Radio Frequency Identification）が装着された用紙に画像を形成すると共に用紙搬送中に無線通信でＲＦ−ＩＤに電子情報を書き込み、または読み出す機能を有する画像形成装置が提案されている（特許文献１）。
ところで、画像形成装置の分野では、いわゆる個人ユーザ向けの装置が普及しているが、このような装置は、小型化や低価格化の要求から、例えば自動両面印刷（プリント）機能を有していないなど実行可能な機能が限られていることが多い。このような自動両面プリントの機能を有していない装置を使用して用紙の両面にプリントを行いたい場合、ユーザは、通常、まず用紙の表面（第１面）へのプリントのための操作を行う。そして、第１面へのプリントが終了し機外に排出された用紙を手動で再度給紙トレイにセットし直し、その用紙の裏面（第２面）へのプリントのための操作を行うといった作業を実行する。
【特許文献１】特開２００４−８２６００号公報
【発明の開示】
【発明が解決しようとする課題】
【０００３】
上記のような画像形成装置を使用して両面プリントをとる場合、ユーザは、第２面へのプリントのため用紙を再セットする際にその用紙の向き（天地）に十分に気を付ける必要がある。
なぜなら、例えば用紙の天地を誤って逆にセットしてしまうと、１枚の用紙で表面の画像と裏面の画像の天地が逆向きの複写物が得られることになり、やり直しせざるを得ない事態が生じるからである。やり直しとなると時間が余分にかかり用紙も無駄になる。まして上記のようなＲＦ−ＩＤが装着された用紙を利用する場合には、当該用紙は普通紙に比べて高価なためコスト負担がより大きくなる。
【０００４】
このような第２面へのプリントに対しユーザが十分に気をつけなければならないということは、例えば通常ではモノクロのプリントモードが設定されているが、カラー選択ボタンを押すとカラーのプリントモードに切り替わってカラープリントを実行できる構成の画像形成装置を利用する場合にも同様に生じ得る。
これは、例えば第１面へのプリントにカラーを選択し、第２面へのプリントにもカラーを選択すべきところ、その選択をうっかり忘れると裏面はモノクロ画像になり、天地が逆になる場合と同様に、ユーザの意図に反した複写物になってしまうからである。
【０００５】
本発明は、上記の問題に鑑みてなされたものであって、ＩＣタグが装着されたシートを利用し、第１面への画像形成後に機外に排出されたシートがユーザにより装置に戻されてその第２面に画像形成する場合に、ユーザの負担を軽減しつつ出力物のミスを減らしてコスト低減を図れる画像形成装置を提供することを目的としている。
【課題を解決するための手段】
【０００６】
上記目的を達成するため、本発明に係る画像形成装置は、ＩＣタグが装着されたシートに画像を形成する画像形成装置であって、前記シートの第１面に形成される画像の画像形成条件に関する情報をＩＣタグとの無線通信により前記ＩＣタグに書き込む書込手段と、当該画像形成装置から排出された第１面への画像形成後のシートが、当該第１面の裏側にあたる第２面への画像形成に供される際に、当該シートに装着されているＩＣタグから前記情報を前記ＩＣタグとの無線通信により読み出す読出手段と、読み出された情報から第２面への画像形成条件を決める決定手段と、決定された画像形成条件に基づいて第２面への画像形成を実行する画像形成手段と、を備えることを特徴とする。
【発明の効果】
【０００７】
このようにすれば、例えば第２面への画像形成のためにユーザが画像形成装置にシートをセットする場合、仮にその向きに誤りがあっても正しくセットされたときと同じ条件で画像形成が行われるように画像回転等の処理を施すことが可能になり、ユーザにとってはシートのセットに必要以上に気を使う必要がなくなり負担が軽減され、ミスも少なく済ませられる。
【０００８】
また、前記画像形成条件に関する情報は、第１面への画像形成の際の、前記シート上におけるＩＣタグの装着位置を示す位置情報であり、前記決定手段は、前記位置情報と、第２面への画像形成の際の、前記シート上におけるＩＣタグの装着位置とに応じて、第２面に形成すべき画像の天地を前記画像形成条件として決めることを特徴とする。
このようにすれば、シート両面の各形成画像の天地を揃えることが可能になる。
【０００９】
ここで、前記シートに綴じ代を設ける綴じ代形成手段を備え、前記決定手段は、前記シート上の綴じ代の形成位置も参照して、第２面に形成すべき画像の天地を決めることを特徴とする。
このようにすれば綴じ代が形成される場合にも、シート両面の各形成画像の天地を揃えることが可能になる。
【００１０】
また、前記画像形成条件に関する情報は、第１面への形成画像がカラー／モノクロのいずれであったか、その形成画像の倍率、階調、解像度の少なくとも１つの条件を含む情報であり、前記決定手段は、第１面への条件と同じ条件を第２面への画像形成の際における画像形成条件として決めることを特徴とする。
このようにすれば、シート両面の各形成画像の画像形成条件を一致させることが可能になる。
【発明を実施するための最良の形態】
【００１１】
以下、本発明に係る画像形成装置の実施の形態を、タンデム型カラーデジタルプリンタ（以下、単に「プリンタ」という。）を例にして説明する。
（第１の実施の形態）
図１は、プリンタ１の全体構成を示す図である。
同図に示すように、プリンタ１は、周知の電子写真技術を利用して記録シートとしての用紙上に画像を形成して出力（プリント）するものであり、イエロー（Ｙ）、マゼンタ（Ｍ）、シアン（Ｃ）およびブラック（Ｋ）の各再現色（以下、「Ｙ，Ｍ，Ｃ，Ｋ」と略す。）用の作像ユニット１０Ｙ〜１０Ｋと、中間転写部２０と、給紙搬送部３０と、定着部４０等を備えている。プリンタ１は、作像部１０Ｙ〜１０Ｋ全てを用いてカラーの画像をプリントするカラープリントモードと、作像部１０Ｋだけを用いてモノクロの画像をプリントするモノクロプリントモードとを切り替えて実行する機能を有している。
【００１２】
作像ユニット１０Ｙ〜１０Ｋは、中間転写ベルト２１に沿って所定間隔で直列に配置されており、像担持体としての感光体ドラム１３Ｙ〜１３Ｋと、その周囲に配設されたプリントヘッド１１Ｙ〜１１Ｋと、帯電器１４Ｙ〜１４Ｋと、現像器１５Ｙ〜１５Ｋと、中間転写ベルト２１を挟んで感光体ドラム１３Ｙ〜１３Ｋと対向する一次転写ローラ１６Ｙ〜１６Ｋおよびクリーナ（不図示）等を備えている。
【００１３】
中間転写部２０は、中間転写ベルト２１と、同ベルトが張架される駆動ローラ２２および従動ローラ２３、２４などを備えている。
給紙搬送部３０は、用紙を収容する給紙カセット３１と、給紙カセット３１内の用紙を１枚ずつ繰り出す繰り出しローラ３２と、用紙を搬送路５０に沿って搬送する搬送ローラ対３３、３４と、搬送される用紙を二次転写位置３６１に送り出すタイミングをとるタイミングローラ対３５と、二次転写位置３６１において中間転写ベルト２１を挟んで駆動ローラ２２に圧接される二次転写ローラ３６および排出ローラ対３７等を備えている。
【００１４】
給紙カセット３１は、装置前後（同図紙面垂直方向）方向に、装置内において用紙を搬送路５０に向けて繰り出すための給紙位置と、装置外においてユーザが用紙を補給するための補給位置との間をスライド自在に保持されている。ユーザは、給紙位置にある給紙カセット３１を装置手前側に補給位置まで引き出すことで用紙を補充でき、用紙補充後の給紙カセット３１を装置奥側に押し込むことで元の給紙位置まで戻すことができる。
【００１５】
給紙カセット３１には、その上部に用紙サイズ検出センサ３１１が配置されている。用紙サイズ検出センサ３１１は、収容される用紙のサイズおよびその用紙が縦方向／横方向のいずれの方向にセットされているのかを検出する公知のセンサである。
このような構成において、プリンタ１は、外部の端末（不図示）からＬＡＮを介してプリントジョブの指示を受け付けると、カラープリントモードでは、制御部１００の画像処理部１０４（図８参照）においてプリントヘッド１１Ｙ〜１１Ｋを駆動させるための駆動信号を生成する。
【００１６】
プリントヘッド１１Ｙ〜１１Ｋは、画像処理部１０４からの駆動信号を受けてレーザ光を発し、感光体ドラム１３Ｙ〜１３Ｋ上を主走査方向に露光走査させる。
感光体ドラム１３Ｙ〜１３Ｋは、前記露光を受ける前にクリーナで表面の残存トナーが除去され、不図示のイレーサランプに照射されて除電された後、帯電器１４Ｙ〜１４Ｋにより一様に帯電されており、このように一様に帯電した状態で上記レーザ光による露光を受けると、感光体ドラム１３Ｙ〜１３Ｋの表面に静電潜像が形成される。
【００１７】
各静電潜像は、それぞれ各色の現像器１５Ｙ〜１５Ｋにより現像され、これにより感光体ドラム１３Ｙ〜１３Ｋ表面にＹ、Ｍ、Ｃ、Ｋ色のトナー像が作像され、一次転写位置において一次転写ローラ１６Ｙ〜１６Ｋの静電的作用により、矢印Ａ方向に回転する中間転写ベルト２１上に順次転写されていく。この際、各色の作像動作は、そのトナー像が中間転写ベルト２１上の同じ位置に重ね合わせられるように、Ｙ、Ｍ、Ｃ、Ｋ色の順にタイミングをずらして実行される。
【００１８】
一方、中間転写ベルト２１上の各色トナー像の作像タイミングに合わせて、給紙搬送部３０からは、タイミングローラ対３５を介して用紙が給送されて来ており、二次転写位置３６１において二次転写ローラ３６と駆動ローラ２２間に生じる静電的作用により、中間転写ベルト２１上のトナー像が用紙上に二次転写される。二次転写位置３６１を通過した用紙は、定着部４０に搬送され、ここで用紙上のトナー像が加圧、加熱されて用紙に定着され、排出ローラ対３７を介して排出トレイ３８上に排出される（プリント終了）。
【００１９】
また、モノクロプリントモードの場合には、作像部１０Ｋだけを用いて上記と同様の動作を行うことで、用紙にブラック色の画像を形成して出力する。
ユーザは、用紙両面へのプリントを希望する場合には、装置外に排出された一方の面（第１面）へのプリント終了後の用紙を、手動で再度給紙カセット３１にその他方の面（第２面）が表向きになるようにセットし直すことで実現できる。以下、まだ１度もプリントに供されていない用紙への最初のプリントの際に画像が形成される面を第１面、第１面の裏面側の面を第２面という。
【００２０】
装置前面の操作しやすい位置には、操作パネル８０が配置されている。この操作パネル８０には、ユーザがプリント時の解像度（例えば普通／高画質）、階調（例えば２値／多階調）、倍率（等倍／縮小／拡大）を設定するためのキー、カラー／モノクロのプリントモードを選択するためのキー、用紙の上側／左側のいずれの位置に綴じ代を設けるのかを設定するためのキーや、その設定内容を表示させるための表示部が配置されている。
【００２１】
搬送路５０付近には、ＩＣタグリーダー６１、６２とＩＣタグライター７１、７２が配置されている。
図２は、ＩＣタグリーダー６１、６２が配置されている様子を図１の矢印Ｂ方向から見たときの斜視図であり、搬送される用紙に装着されたＩＣタグ８とＩＣタグリーダー６１、６２との位置関係が判り易くなるように、搬送ローラ対３３等の部材を省略している。
【００２２】
同図に示すように、ＩＣタグリーダー６１は、装置手前側に配置され、ＩＣタグリーダー６２は、装置奥側に配置されており、これらは、用紙搬送方向に略同位置にあり、用紙搬送方向に直交する方向（以下、「ＣＤ方向」という。）に一定の距離をおいた位置関係になっている。用紙としては、その４角の内の１つの角に１個のＩＣタグ８が装着された（埋め込まれた）用紙が使用される。
【００２３】
ＩＣタグリーダー６１、６２は、用紙に埋め込まれたＩＣタグ８と無線通信を行うと共に当該ＩＣタグ８に格納されている情報を読み出す機能を有するものである。具体的には、送受信用アンテナとコントロールＩＣからなる公知の構成を有し、短い周期で定期的にリクエスト信号を発しており、ＩＣタグ８が無線通信可能範囲に入ると、用紙毎にそのＩＣタグ８からの当該リクエスト信号に対する応答信号を受信することで、ＩＣタグ８を検出すると共に通信を行い、その検出結果（通信の可否）と読み出した情報を用紙搬送／画像形成制御部１０２（図８）に送る。
【００２４】
ここで、ＩＣタグリーダー６２は、同図に示すようにＩＣタグ８が装置奥側に位置する状態で給紙カセット３１にセットされた用紙が搬送されるときにだけ、そのＩＣタグ８と通信を行えるようにその通信可能範囲が設定されている。一方、ＩＣタグリーダー６１は、ＩＣタグ８が装置手前側に位置する状態でセットされた用紙が搬送されるときにだけ、そのＩＣタグ８と通信を行えるようにその通信可能範囲が設定されている。この通信可能範囲の詳細については後述する。
【００２５】
ＩＣタグライター７１、７２については、その配置構成を図示していないが、基本的にはＩＣタグリーダー６１、６２の構成と同じである。
すなわち、ＩＣタグライター７１、７２は、用紙に埋め込まれたＩＣタグ８と無線通信を行うと共に必要な情報を書き込む機能を有するものである。ＩＣタグライター７１は、装置手前側に配置され、ＩＣタグライター７２は、装置奥側に配置されており、用紙搬送方向に略同位置にあり、これらはＣＤ方向に一定の距離をおいた位置関係にあり、ＩＣタグリーダー６１、６２と同様にＩＣタグ８との通信可能範囲が設定されている。そして、ＩＣタグ８が無線通信可能範囲に入ると、用紙毎にそのＩＣタグ８からの当該リクエスト信号に対する応答信号を受信することで、ＩＣタグ８を検出すると共に通信を行い、その検出結果（通信の可否）を用紙搬送／画像形成制御部１０２に送ると共に、用紙搬送／画像形成制御部１０２からの書き込み指示を受け付けて指示された情報をＩＣタグ８に書き込む。
【００２６】
このように２つのＩＣタグリーダー６１、６２および２つのＩＣタグライター７１，７２をそれぞれ配置するのは、搬送中の用紙のどの角にＩＣタグ８が位置しているのかを検出するためである。
すなわち、４角の内の１つの角に１個のＩＣタグ８が装着された用紙を使用する場合、ユーザは、通常、用紙の表裏や前後を気にせずに給紙カセット３１に用紙をセットするので、そのセット方法によって、ＩＣタグ８の用紙上での位置が４つの態様の内のいずれかに変わることになる。この態様を具体的に図３と図４を用いて説明する。
【００２７】
図３は、用紙が横姿勢で搬送されるときの用紙の４つの態様と各態様のＩＣタグ８の位置関係を示した模式図である。
同図では、搬送される用紙を図２の矢印Ｃ方向（ＩＣタグリーダー６１、６２側）から見て、用紙搬送方向を「上方向」、反対方向を「下方向」、装置手前側を「右方向」、装置奥側を「左方向」と規定したとき、当該用紙上のＩＣタグ８の位置が「左上」に来る態様とした場合に表側となる面をＡ面、裏側となる面をＢ面と定義している。この「左上」の態様は、図２に示す用紙の搬送状態に相当し、この場合、画像はＡ面に形成されることになる。
【００２８】
「左上」の態様の用紙を１８０°回転させると、「右下」の態様になり、この「右下」の態様ではＩＣタグ８が装置手前側に位置した状態で用紙が搬送され、Ａ面に画像が形成される。
また、「左上」の態様の用紙を上下反転させると、「左下」の態様になり、この「左下」の態様ではＩＣタグ８が装置奥側に位置した状態で用紙が搬送され、Ｂ面に画像が形成される。
【００２９】
さらに、「左上」の態様の用紙を左右反転させると、「右上」の態様になり、この「右上」の態様ではＩＣタグ８が装置手前側に位置した状態で用紙が搬送され、Ｂ面に画像が形成されることになる。
図４は、４つの態様において画像形成面となる面に同じ正立画像（ここでは、上下の区別をし易いアルファベット文字の例を示している。）を形成した場合の各態様を示す図であり、各態様にパターン番号１〜４を付与して区別している。
【００３０】
具体的には、パターン１は、Ａ面に正立画像が形成されＩＣタグ８が左上に位置する状態を示している。パターン２は、Ｂ面に正立画像が形成されＩＣタグ８が右上に位置する状態を示している。同様に、パターン３は、Ｂ面に正立画像が形成されＩＣタグ８が左下に位置する状態を、パターン４は、Ａ面に正立画像が形成されＩＣタグ８が右下に位置する状態を示している。
【００３１】
一方、用紙が縦姿勢で搬送される場合も図５に示すように４つの態様に分けることができ、図６に示すように、各態様にパターン５〜８を対応付けることができる。
すなわち、パターン５は、用紙が縦姿勢で搬送される場合であって、Ａ面に正立画像が形成されＩＣタグ８が右上に位置する状態を示している。パターン６は、Ｂ面に正立画像が形成されＩＣタグ８が左上に位置する状態を、パターン７は、Ｂ面に正立画像が形成されＩＣタグ８が右下に位置する状態を、パターン８は、Ａ面に正立画像が形成されＩＣタグ８が左下に位置する状態を示したものである。
【００３２】
ここで、ＩＣタグ８が用紙先端側に位置する状態（パターン１、２、５、６）で用紙が搬送されるときの用紙の方向を「用紙方向ａ」、後端側に位置する状態（パターン３、４、７、８）で用紙が搬送されるときの用紙の方向を「用紙方向ｂ」と定義する。
用紙が横姿勢で搬送される場合、４通りの態様が存在することになるが、いずれの態様でもＩＣタグ８の位置が同一にならず、その位置が用紙上の上側、下側、左側、右側の組み合わせ４パターンの内のいずれか１つのパターンになる。このことは、用紙が縦姿勢で搬送される場合も同様である。
【００３３】
従って、ＩＣタグリーダー６１を装置手前側に配すると共にパターン２、４、５、７で用紙が搬送されるときにだけその用紙のＩＣタグ８と通信できる（すなわち、パターン１、３、６、８で用紙が搬送される場合には通信できない）ようにＩＣタグ８との無線通信可能範囲を限定する構成にすれば、通信の可否により、搬送中の用紙がパターン２、４、５、７であるか否かを判断できる。
【００３４】
ＩＣタグ８との通信ができたことによりパターン２、４、５、７のいずれかであることを判断すると、用紙の姿勢（縦／横）、および用紙上におけるＩＣタグ８の用紙搬送方向の位置（用紙先端側／後端側）を検出することで、パターン２、４、５、７の内、いずれのパターンであるかを検出できることになる。なお、用紙の姿勢（縦／横）は、給紙カセット３１の用紙サイズ検出センサ３１１により検出される。また、ＩＣタグ８の位置が用紙先端と後端のいずれの側であるかの検出については、例えば用紙の繰り出し開始からＩＣタグ８との通信可能時までの経過時間を測定し、その経過時間が、用紙先端側にＩＣタグ８があるとしたときに繰り出し開始からＩＣタグリーダー６１の無線通信可能な範囲に入るまでのＩＣタグ８の移動に要すると想定される所定時間の範囲内に入る場合には用紙先端側、それよりも長い場合には用紙後端側とすることで行える。
【００３５】
このことは、ＩＣタグリーダー６２についても同様である。ＩＣタグリーダー６２を装置奥側に配置すると共に、パターン１、３、６、８で用紙が搬送されるときにだけその用紙のＩＣタグ８と通信できる（パターン２、４、５、７の場合には通信できない）ように無線通信可能範囲を限定する構成にすれば、通信の可否により、搬送中の用紙がパターン１、３、６、８であるか否かを判断でき、さらに、用紙の姿勢（縦／横）およびＩＣタグ８の用紙上の位置（先端側／後端側）を検出することで、パターン１、３、６、８の内、いずれのパターンであるかを検出できる。上記のことは、ＩＣタグライター７１、７２についても同じである。
【００３６】
パターン１〜４は、用紙の４角の内のどの角にＩＣタグ８が位置しているのかを示したものであり、これは用紙の画像形成面（Ａ面またはＢ面）、用紙方向（ａまたはｂ）および用紙の姿勢（横）を示すものでもある。
また、用紙方向は、パターン１とパターン４の関係のようにＩＣタグ８の位置に対する画像の天地を示すものといえる。このことは、パターン５〜８についても同様である。
【００３７】
従って、ある用紙がどのパターンで画像形成されたものであるのかが判れば、当該用紙がどの姿勢でＡ面とＢ面のいずれの面に天がどの方向を向いている画像が形成されたものなのかを知得できることになる。
そこで、本実施の形態では、（ａ）用紙の第１面へのプリントの際にどの態様（パターン）で画像形成されたのかを示す情報（パターン情報）を当該用紙のＩＣタグ８に書き込む処理を実行する。
【００３８】
（ｂ）当該ＩＣタグ８にパターン情報が書き込まれた用紙が両面プリントとして再度ユーザにより手動で給紙カセット３１にセットされ、その第２面への画像形成が実行される前に、ＩＣタグリーダー６１または６２がＩＣタグ８からパターン情報を読み出して、その第１面への画像形成がどのパターンで実行されたのかを検出する。これにより、第１面への画像形成の際の用紙の姿勢、方向を知ることができる。
【００３９】
（ｃ）そして、現在の当該用紙上におけるＩＣタグ８の位置と姿勢を検出し、その検出結果から用紙の方向、姿勢を特定する。
（ｄ）特定した方向等の情報と、パターン情報による方向等の情報から、用紙が正しい状態でセットされているか否かを検出し、正しくない、例えば上下が逆になっていることを検出すると、第２面への画像形成に用いられるべき画像データに天地逆転の１８０°回転処理を施すことで、ミスプリントを減らすと共にユーザの負担の軽減を図っている。この意味で、パターン情報は、画像形成条件に関する情報としてとらえることができる。なお、パターン情報の書き込みおよび読み出しの処理の詳細については後述する。
【００４０】
図７は、ＩＣタグリーダー６１、６２を図２の矢印Ｃ方向から見たときのＩＣタグ８との無線通信可能範囲を模式的に示す平面図である。ここで、同図の幅方向とはＣＤ方向に相当する。太い破線６０２は、用紙の幅を２等分する中心軸を、細い破線６０１は、搬送路５０の幅を２等分する中心軸を示している。これより、用紙は、その中心軸６０２が搬送路５０の中心軸６０１と略一致する位置関係になる状態で搬送されることがわかる。
【００４１】
楕円形の一点鎖線６１１は、ＩＣタグリーダー６１のＩＣタグ８との無線通信可能範囲であり、ＩＣタグ８の識別率が１００パーセントの範囲を示している。また、楕円形の二点鎖線６１２の範囲（一点鎖線６１１の範囲を除く範囲）は、ＩＣタグリーダー６１によるＩＣタグ８の識別率が０〜１００パーセント未満の範囲、すなわち識別できる場合もあればできない場合もある範囲を示している。
【００４２】
一方、楕円形の一点鎖線６２１は、ＩＣタグリーダー６２のＩＣタグ８との無線通信可能範囲であり、ＩＣタグ８の識別率が１００パーセントの範囲を示している。また、楕円形の二点鎖線６２２の範囲（一点鎖線６２１の範囲を除く範囲）は、二点鎖線６１２と同様に、ＩＣタグリーダー６２によるＩＣタグ８の識別率が０〜１００パーセント未満の範囲を示している。
【００４３】
一点鎖線６１１の範囲は、用紙がパターン２、４、５、７の状態で搬送されたときにだけその用紙のＩＣタグ８を検出でき、一点鎖線６２１の範囲は、用紙がパターン１、３、６、８の状態で搬送されたときにだけその用紙のＩＣタグ８を検出できるように、予め実験等において、ＩＣタグリーダー６１、６２の配設位置、ＩＣタグリーダー６１、６２から発せられるリクエスト信号の出力の大きさ、発せられる信号が他方の検出識別範囲に及ばないように遮蔽するシールドの配置等が調整、工夫されることにより設定される。
【００４４】
これより、搬送される用紙の内、二点鎖線６１２、６２２の重なる範囲が検知・識別不可能領域６３０になり、検知・識別不可能領域６３０を挟んだ両側が検知・識別可能領域６１０、６２０になる。
また、一点鎖線６１１、６２１の範囲の用紙搬送方向における長さは、用紙の用紙搬送方向長さを２等分する長さよりも短くなるように設定されている。これは、搬送される用紙のＩＣタグ８が先端側と後端側のいずれに位置しているのかを検出し易くするためである。
【００４５】
なお、ＩＣタグライター７１、７２の通信可能範囲もＩＣタグリーダー６１、６２の通信可能範囲と同様の範囲になるように予め実験等により設定される。
図８は、プリンタ１の制御部１００の構成を示したブロック図である。
同図に示すように、制御部１００は、主な構成要素として、通信インターフェース（Ｉ／Ｆ）部１０１と、用紙搬送／画像形成制御部１０２と、用紙給紙／搬送駆動部１０３と、画像処理部１０４と、画像処理用データ記録部１０５と、パターン情報記憶部１０６および判定情報記憶部１０７を備えている。
【００４６】
通信Ｉ／Ｆ部１０１は、ＬＡＮカード、ＬＡＮボードといったＬＡＮに接続するためのインターフェースである。
用紙搬送／画像形成制御部１０２は、プリンタ１を統括的に制御して、円滑な画像形成動作（プリント）を実現する。用紙搬送／画像形成制御部１０２は、通信Ｉ／Ｆ部１０１を介して外部の端末からプリントジョブを受け付けると、そのデータを画像処理部１０４に送り、そのプリントジョブの実行を指示する。また、用紙サイズ検出センサ３１１による検出信号に基づいて、給紙カセット３１にセットされている用紙のサイズおよび姿勢（縦／横）を検出する。
【００４７】
さらに、ＩＣタグライター７１、７２の動作を制御して、搬送される用紙１枚毎に、ＩＣタグライター７１、７２によるＩＣタグ検出結果（通信の可否）と用紙姿勢とから第１面の画像形成の際のパターンがどのパターンによるものかを特定し、その結果をパターン情報として当該用紙のＩＣタグ８に書き込ませる。
また、ＩＣタグリーダー６１、６２の動作を制御して、搬送される用紙１枚毎に、ＩＣタグリーダー６１、６２によるＩＣタグ検出結果（通信の可否）を受信する。その際、当該用紙上のＩＣタグ８にパターン情報が格納されている場合には、そのパターン情報を読み取らせる。パターン情報が格納されている場合、第２面側のプリントであると判断して、そのパターン情報と、ＩＣタグ検出結果および用紙姿勢とから用紙の向きが正しいか否かを検出する。誤っていることを検出すると、その検出結果を画像処理部１０４に伝え、画像データの回転補正を指示する。
【００４８】
用紙給紙／搬送駆動部１０３は、給紙ローラ３２、タイミングローラ対３５、中間転写ベルト２１等のローラ、ベルト類の駆動モータ（不図示）の回転制御を行う。
画像処理部１０４は、用紙搬送／画像形成制御部１０２からプリントジョブのデータを受信すると、シェーディング等の補正を施すと共にＹ、Ｍ、Ｃ、Ｋの再現色の画像データに変換して画像処理用データ記録部１０５に一旦格納させる。
【００４９】
そして、プリント開始に際し画像データを画像処理用データ記録部１０５から読み出し、読み出した画像データに必要に応じて回転等の画像処理を施した後、その画像データに基づいてプリントヘッド１１Ｙ〜１１Ｋの駆動信号を生成する。
パターン情報記憶部１０６は、不揮発性メモリからなり、まだ１度もプリントに供されていない用紙のいずれか一方の面（第１面）への最初のプリントの際に、その用紙がどの態様のときにパターン情報としてどのような情報をＩＣタグ８に書き込むべきなのかを示す対応情報が書き込まれており、パターン情報の書き込みの際に参照される。
【００５０】
図９は、パターン情報記憶部１０６に格納されている対応情報テーブル１０６０の内容例を示す図である。
同図に示すように、対応情報テーブル１０６０には、画像の形成方向欄、用紙姿勢欄、ＩＣタグ検出位置欄、用紙態様判定結果欄、横倒し／正立変換欄および書き込み内容欄が設けられている。
【００５１】
画像の形成方向欄は、形成画像が「正立」の場合と「横倒し」の場合に分けられている。ここで、形成画像が「正立」とは、図４、図６のように、用紙搬送方向と画像の天の向きが一致している状態をいい、通常ではこの正立の状態で画像形成がなされる。
一方、「横倒し」とは、図１０に示すように、用紙搬送方向に対し画像の天の向きが反時計方向に９０°回転した（横に倒した）状態をいう。このような横倒しは、例えば本来であれば「縦」姿勢の用紙に画像形成すべきところ（図６のパターン５など）、給紙カセット３１に「横」姿勢の用紙しかセットされていないため、図１０（ａ）の横姿勢の例のように、「横」姿勢の用紙を搬送させると共にその「横」姿勢の用紙に対応すべく画像データに９０°の回転補正を施して画像形成を行う場合に発生する。
【００５２】
この横倒しを行った場合、図１０（ａ）の状態のものがプリント出力されることになるが、その用紙を時計方向に９０°回転させると、図６のパターン５の状態で出力されたものと実質同じになるため、ユーザにとって見れば同じ出力物が得られることになる。
また、本来「横」姿勢の用紙に画像形成すべきところ、「縦」姿勢の用紙しかない場合には、図１０（ｂ）の例のようになる。
【００５３】
図９に戻って、用紙姿勢欄には、用紙の姿勢として「横」と「縦」の項目が設けられている。
ＩＣタグ検出位置欄には、ＩＣタグ８の用紙上での位置として「装置の手前／奥」と「用紙の先端と後端」の項目が設けられている。
用紙態様判定結果欄には、画像形成面Ａ／Ｂ、用紙方向ａ／ｂ、パターン番号１〜８の各項目が設けられており、その内容は、図４と図６に示すパターン１〜８の内容に対応したものになっている。
【００５４】
横倒し／正立変換欄には、横倒しが行われた場合、正立の場合のパターン番号を何番に変換する必要があるかを示す情報が格納されている。これは、上記パターン１〜８は、正立画像の場合を基準に定義されたものであるので、例えば横倒しが行われる場合、その用紙が図４のパターン１の態様と判定されたとしても、画像の天の向きは図１０（ａ）の例のようにパターン１の正立画像の向きと異なっており、そのため実際の出力物の画像の向きを表すパターン番号に変換しておく必要があるからである。具体的には、例えば正立画像でパターン１と判定された場合、横倒しが行われると実質パターン５と同じになるので、パターン５が変換後の番号ということになる（欄１０６２参照）。
【００５５】
書き込み内容欄には、判定されたパターン１〜８に対応するＩＣタグ８へのパターン情報としての書き込み内容を示す情報が格納されている。
用紙搬送／画像形成制御部１０２は、搬送される用紙について、その姿勢、用紙上のＩＣタグ８の位置が検出されると、その検出結果に適合するＩＣタグ８への書き込み内容を、対応情報テーブル１０６０の「画像の形成方向」欄〜「横倒し／正立変換」欄までの内容を参照して決める。
【００５６】
例えば、画像が「正立」、姿勢が「横」、ＩＣタグの位置が「装置奥側」かつ「用紙先端」の場合には、用紙態様として画像形成面「Ａ面」、用紙方向「ａ方向」になり、パターン番号は「１」になる（欄１０６１）。この場合、パターン情報としては、画像形成面「Ａ」、用紙方向「ａ」、用紙姿勢「横」を対応付けた情報が「ＩＣタグの装着位置に関する情報」としてＩＣタグ８に書き込まれることになる。なお、パターン番号が「１」である旨の情報を書き込むとしても良い。
【００５７】
また、例えば「横倒し」で図１０（ａ）の状態の場合には、欄１０６２に示すように用紙態様はパターン１と同じ「Ａ面」、「ａ方向」であるが、「横倒し／正立変換」欄の「１」から「５」への変換により、パターン番号が「５」になって、画像形成面「Ａ」、用紙方向「ａ」、用紙姿勢「縦」を対応付けた情報がパターン情報として書き込まれることになる。
【００５８】
同様に、例えば「横倒し」で図１０（ｂ）の場合には、欄１０６３に示すように用紙態様はパターン５の「Ａ面」、「ａ方向」であるが、「横倒し／正立変換」欄の「５」から「４」への変換により、パターン番号が「４」になって、画像形成面「Ａ」、用紙方向「ｂ」、用紙姿勢「横」を対応付けた情報がパターン情報として書き込まれる。
図８に戻って、判定情報記憶部１０７は、不揮発性メモリからなり、第１面への画像形成済みの用紙が再度給紙カセット３１にセットされその用紙の第２面への画像形成が実行される場合の当該用紙の向きの状態の正誤判定、誤っていると判定された場合にどのような補正処理が必要なのかを示す判定情報が書き込まれており、第２面への画像形成の際に参照される。
【００５９】
図１１は、判定情報記憶部１０７に格納されている判定情報テーブル１０７０の内容例を示す図である。
同図に示すように、判定情報テーブル１０７０には、第１面欄と第２面欄が設けられている。第１面欄には、読み取り内容と第１面への画像形成の際のパターン番号の項目が設けられている。
【００６０】
読み取り内容欄には、用紙のＩＣタグ８から読み取られる、第１面への画像形成の際のパターン情報の内容として、画像形成面、用紙方向、用紙姿勢の内容を示す情報が書き込まれている。同図では、パターン１、３に対応するもののみが記載されており、他のパターン２、４〜８に対応する項目についてはその内容を省略している。
パターン番号欄には、読み取り内容に対応するパターン番号が書き込まれている。
【００６１】
第２面欄には、用紙給送姿勢と、ＩＣタグ検出位置と、態様判定結果および画像回転処理の各項目が設けられている。
用紙給送姿勢欄には、第２面への画像形成の際の用紙姿勢として「横」と「縦」の項目が設けられている。
ＩＣタグ検出位置欄には、第２面への画像形成の際のＩＣタグ８の位置として「装置の手前、奥」と「用紙の先端、後端」の項目が設けられている。また、態様判定結果欄には、画像形成面（Ａ／Ｂ）、方向（ａ／ｂ）、パターン番号１〜８の各項目が設けられている。
【００６２】
ここで、画像形成面とは、第２面が用紙のＡ面とＢ面のいずれに当たるのかを示している。例えば、第１面への画像形成の際のパターンがパターン１であった場合には、第１面がＡ面になるので第２面はＢ面ということになる。
方向とは、対応情報テーブル１０６０の用紙方向と同じ意味である。
パターン番号１〜８は、第２面への画像形成の際の用紙の態様を表すものである。
【００６３】
画像回転処理欄は、第２面への画像形成の際に画像回転処理が必要であるか否か、必要な場合の回転角度を示す情報が書き込まれている。
画像回転の要否および回転角度の決め方について図１２を用いて具体的に説明する。
図１２（ａ）は、第１面への画像形成がパターン１の態様でなされた場合の例を示しており、図１２（ｂ）は、その用紙が第２面への画像形成のために再度給紙カセット３１にセットされた状態を上方から見たときの例を示す図である。
【００６４】
図１２（ｂ）の状態で用紙がセットされた場合、ＩＣタグ８が装置手前側／用紙先端側に位置することになるのでパターン２に相当し、第２面（Ｂ面）に形成される画像（同図例では破線の「Ｆ」）の天の向きが第１面の形成画像（同図例では太字の「Ａｂｃ」）の天の向きと表裏で一致した状態になる。この場合、Ｂ面にプリントすべき画像を回転させる必要がないとされる（図１１の欄１０７１参照）。
【００６５】
一方、図１２（ｃ）の状態の場合、ＩＣタグ８が装置奥側／用紙後端側に位置することになるのでパターン３に相当し、第２面（Ｂ面）の形成画像と第１面の形成画像の天の向きが逆転した状態になる。この場合には、Ｂ面に形成すべき画像を本来の状態から１８０°回転させれば、両方の画像の天の向きが一致することになる（図１１の欄１０７２参照）。
【００６６】
また、図１２（ｄ）の状態の場合、用紙姿勢が縦であり、ＩＣタグ８が装置奥側／用紙先端側に位置することになるのでパターン６に相当し、図２の矢印Ｃ方向から見て、第２面（Ｂ面）の形成画像が第１面の形成画像の天の向きに対し時計方向（右方向）に９０°回転した状態になる。この場合には、Ｂ面に形成すべき画像を本来の状態から反時計方向（左方向）に９０°回転させれば、両方の画像の天の向きが一致することになる（図１１の欄１０７３参照）。
【００６７】
他のパターンも同様に、第１面への画像形成の際の用紙の態様（パターン番号）毎に、第１面と第２面との画像の天地の向きが１枚の用紙の表裏で一致するように、第２面への画像形成の際の用紙の態様（パターン番号）、画像回転の要否が予め決められて、判定情報として判定情報記憶部１０７に格納される。
なお、判定情報テーブル１０７０では、例えば第１面への画像形成の際のパターンが「１」の場合、第２面の態様判定としてはパターン２、３、６、７だけが示され、パターン１、４、５、８は示されていない。これは、パターン１、４、５、８の場合、第２面もＡ面になり、第１面の形成画像の上に第２面に形成されるべき画像が上書きされてしまい、ミスプリントになるからである。従って、ここでは、判定情報テーブル１０７０に記載されていないパターン番号が判定された場合には、第２面への画像形成を中止して、操作パネル８０上において用紙の表裏が逆なので用紙を裏返して再セットして下さいという旨をメッセージ表示させてユーザに通知するようにしている。
【００６８】
次に、制御部１００により実行されるプリント処理の内容を説明する。
図１３は、プリント処理の内容を示すフローチャートである。
同図に示すように、制御部１００は、プリントジョブの実行指示を受け付けると、用紙の給紙動作を実行する（ステップＳ１０）。ここでは、用紙サイズ検出センサ３１１による検出信号を受信して給紙カセット３１にセットされている用紙のサイズおよびその姿勢（縦／横）を検出すると共に、用紙を給紙カセット３１から１枚繰り出して搬送路５０上を搬送させる。
【００６９】
そして、ＩＣタグリーダー６１、６２に指示して、当該用紙に装着されているＩＣタグ８との無線通信を試みさせ、ＩＣタグリーダー６１、６２から通信の可否結果を示す信号を受信し、そしてＩＣタグ８に格納されている情報を読み取らせる（ステップＳ１１）。この意味で、制御部１００、ＩＣタグリーダー６１、６２等は、ステップＳ１１の処理を実行する場合に、第１面への画像形成後の用紙が第２面への画像形成に供される際に、当該用紙に装着されているＩＣタグから画像形成条件に関する情報を読み出す読出手段として機能するものである。
【００７０】
読み取った情報に禁止情報が含まれているか否かを判断する（ステップＳ１２）。ここで、禁止情報とは、すでに両面への画像形成が実行済の用紙であることを示す情報である。この情報は、後述のステップＳ２５においてＩＣタグ８に書き込まれる。
禁止情報が含まれていないことを判断すると（ステップＳ１２で「ＮＯ」）、次にパターン情報が含まれているか否かを判断する（ステップＳ１３）。この情報は、後述のステップＳ１７においてＩＣタグ８に書き込まれる。
【００７１】
パターン情報が含まれていないことを判断すると（ステップＳ１３で「ＮＯ」）、第１面への画像形成であるとして、当該第１面への作像、定着、排出の各動作を行う（ステップＳ１４、Ｓ１５、Ｓ１６）。当該用紙がＩＣタグライター７１、７２の位置を通過するタイミングから、ＩＣタグライター７１、７２に指示して、パターン情報を当該ＩＣタグ８に書き込ませる（ステップＳ１７）。
【００７２】
具体的には、まず当該用紙上におけるＩＣタグ８の位置を検出する。この検出は、ＩＣタグ８がいずれのＩＣタグライター７１、７２で検出され、用紙の先端が排出ローラ対３７を通過してから当該ＩＣタグ８との通信可能時までの経過時間が所定時間以内に入っているか否により行われる。用紙先端の排出ローラ対３７の通過の検出は、例えば搬送路５０上の排出ローラ対３７の付近に用紙検出センサ（不図示）を配置し、そのセンサによる検出結果をモニターすることで行える。
【００７３】
そして、対応情報テーブル１０６０を参照し、検出されたＩＣタグ８の位置（装置手前／奥、用紙先端／後端）と当該用紙の姿勢（縦／横）に対応する用紙の態様がパターン１〜８のどれに当たるのかを判定し、その判定結果をパターン情報として書き込むものである。例えば、画像の形成方向：正立、用紙姿勢：横、ＩＣタグ検出位置（装置奥、用紙先端）の場合には、パターン１と判定される。なお、形成画像の横倒しが行われる場合には、横倒し／正立変換に従ってパターン番号を変換する。この意味で、制御部１００、ＩＣタグライター７１、７２等は、ステップＳ１７の処理を実行する場合に、第１面に形成される画像の画像形成条件に関する情報として、第１面への画像形成の際におけるＩＣタグのシート上の装着位置を示す情報をＩＣタグに書き込む書込手段として機能するものである。
【００７４】
ステップＳ１３において、パターン情報が格納されていることを判断すると（ステップＳ１３で「ＹＥＳ」）、第２面への画像形成であるとして、まず用紙の表裏が合っているか否かを判断する（ステップＳ１８）。
具体的には、（ａ）搬送中の用紙上におけるＩＣタグ８の位置を検出する。この検出は、当該ＩＣタグ８がいずれのＩＣタグリーダー６１、６２で検出され、用紙の繰り出し開始から当該ＩＣタグ８との通信可能時までの経過時間が所定時間以内に入っているか否かにより行われる。
【００７５】
（ｂ）対応情報テーブル１０６０の、用紙姿勢とＩＣタグ検出位置および用紙態様判定結果の各欄を参照し、検出されたＩＣタグ８の位置（装置手前／奥、用紙先端／後端）と当該用紙の姿勢（縦／横）に対応する態様がパターン１〜８のどれに当たるのかを判定する。例えば、用紙姿勢：横、ＩＣタグ検出位置（装置手前、用紙先端）の場合（図１２（ｂ）の状態）には、パターン２と判定される。
【００７６】
（ｃ）上記判定結果と読み出したパターン情報とから第１面と第２面がＡ面同士またはＢ面同士でないか否かを判断する。この判断は、対応情報テーブル１０６０の形成面欄を参照することで行うことができる。
例えば、第１面への画像形成の際の態様がパターン１であり、第２面への画像形成の際の態様がパターン２、３、６、７のいずれかの場合には、第１面がＡ面、第２面がＢ面になる。この場合、第２面に画像を形成しても第１面の画像の上書きにならないので、用紙の表裏が合っているとされる。
【００７７】
一方、第２面への画像形成の際の態様がパターン１、４、５、８のいずれかの場合には、第１面と第２面の両方がＡ面になる。この場合、第２面に画像を形成すると第１面の画像の上書きになるので用紙の表裏が合っていない（ユーザによる用紙の誤セット）とされる。
用紙の表裏が合っていることを判断すると（ステップＳ１８で「ＹＥＳ」）、判定情報テーブル１０７０を参照して第２面に形成すべき画像の回転の要否を求める（ステップＳ１９）。例えば、第１面への画像形成の際の態様がパターン１であり、第２面への画像形成の際の態様がパターン２の場合には、判定情報テーブル１０７０の画像回転処理欄より不要と判断する（欄１０７１）。また、第２面の態様がパターン３であった場合には（図１２（ｃ）の状態）、欄１０７２に示すように１８０°の回転が必要と判断される。
【００７８】
画像回転が必要であることを判断すると（ステップＳ２０で「ＹＥＳ」）、必要な回転角度だけ画像が回転されるように、画像処理部１０４において画像データに回転処理を施した後（ステップＳ２１）、第２面への作像、定着、排出の各動作を行う（ステップＳ２２、Ｓ２３、Ｓ２４）。これにより両面プリントが終わったことになるので、当該用紙への今後のプリントを禁止する禁止情報をＩＣタグライター７１または７２によりＩＣタグ８に書き込んで（ステップＳ２５）、当該処理を終了する。
【００７９】
また、画像回転が不要であることを判断すると（ステップＳ２０で「ＮＯ」）、ステップＳ２２に移る。この意味で、制御部１００は、ステップＳ１９の処理を実行する場合に、第２面への画像形成条件を決める決定手段として機能する。また、作像ユニットや制御部１００等は、ステップＳ２０、Ｓ２１等の処理を実行する場合に、決定された画像形成条件に基づいて第２面への画像形成を行う画像形成手段としてするものである。
【００８０】
ステップＳ１８において、第２面が画像形成済みの面であること、すなわち用紙の表裏が合ってないことを判断すると、ステップＳ２６に移り、プリント動作を中止する。そして、用紙が誤った状態にセットされている旨のメッセージを操作パネル８０に表示させてユーザに通知し（ステップＳ２７）、当該処理を終了する。
なお、ステップＳ１２において、禁止情報が含まれていることを判断すると、ステップＳ２６に移って、プリント動作を中止する。
【００８１】
これにより第２面へのプリントを行うため、ユーザ自身が手動で用紙を給紙カセット３１にセットする際に、仮にその向きに誤りがあっても、正しくセットされたときと同じ状態になる（用紙表裏の各画像の天地が同じ方向を向く）ように画像回転処理が自動的に施され、また表裏自体に誤りがある場合にはプリントが中止されるので、ミスプリントにならず用紙が無駄になることがない。また、ユーザにとっては用紙のセットに必要以上に気を使う必要がなくなり負担が軽減される。
【００８２】
（第２の実施の形態）
本実施の形態では、用紙に綴じ代を設ける場合の例を示している。ここで、綴じ代とは、用紙を綴じて製本する場合にその綴じる部分に設けられる余白のことである（図１５、１６の斜線で示す部分９０に相当）。本実施の形態では、綴じ代を設けるか否か、およびどの位置（例えば、用紙の先端側または装置奥側）に設けるのかをユーザが操作パネル８０上の選択／指定キー（不図示）で選択および指定できるようになっており、この点が第１の実施の形態と異なっている。以下、第１の実施の形態と異なる部分を中心に説明し、第１の実施の形態と同じ構成についてはその説明を省略するものとする。
【００８３】
本実施の形態の制御部１００は、綴じ代が選択され、その位置が指定されると、指定された位置に所定幅（例えば１０ｍｍ幅）の余白が綴じ代として形成されるように、画像全体を綴じ代が設けられる側の反対側にずらす等の処理を画像データに施して画像形成を実行する。
また、第１面への画像形成の際に綴じ代が選択された場合には、その綴じ代の位置の情報をパターン情報に含めてＩＣタグ８に書き込ませる。これにより、第２面への画像形成の際にＩＣタグ８からパターン情報を読み出した際に、綴じ代の位置の情報が含まれていれば、第１面への画像形成の際に綴じ代が設けられた用紙であることが判る。
【００８４】
図１４は、本実施の形態の判定情報テーブル１０７５の内容を示す図であり、この判定情報テーブル１０７５は、綴じ代が設けられた用紙の第２面に画像形成を実行する場合に参照される。
同図に示すように、判定情報テーブル１０７５は、上記判定情報テーブル１０７０の内容に「綴じ代」欄が追加された構成になっている。第１面の「綴じ代」欄には、第１面への画像形成の際の綴じ代の位置が示されている。また、第２面の「綴じ代」欄には、第２面のどの位置に綴じ代を形成すれば用紙表裏で綴じ代の位置が合うのかを示している。なお、同図はパターン１の場合の例だけが示され、他のパターンについては省略している。
【００８５】
以下、綴じ代が選択された場合の画像回転の要否および回転角度の決め方を図１５と図１６を用いて説明する。
図１５（ａ）は、第１面への画像形成がパターン１の態様で、かつ綴じ代（斜線部）９０が用紙上側に形成される場合の例を示しており、図１５（ｂ）は、その用紙が第２面への画像形成のために再度給紙カセット３１にセットされた状態を上方から見たときの例を示す図である。
【００８６】
図１５（ｂ）の状態で用紙がセットされた場合、ＩＣタグ８が装置奥側／用紙後端側に位置することになるのでパターン３に相当し、そのまま画像形成を行うと第２面（Ｂ面）の形成画像の天の向きが第１面の形成画像の天の向きと表裏で逆転（１８０°回転）した状態になる。また、第２面への画像形成の際に用紙後端側に綴じ代９０が形成されるようにすれば用紙表裏で綴じ代の位置が合うことになる。この場合、綴じ代９０で綴じて製本し、それを見開くとするとＡ面とＢ面の画像の天の向きが丁度合う状態になり、Ｂ面に形成すべき画像を回転させる必要がないことになる（図１４の欄１０７６参照）。
【００８７】
一方、図１５（ｃ）の状態の場合、ＩＣタグ８が装置手前側／用紙先端側に位置することになるのでパターン２に相当し、そのまま画像形成を行うと第１面と第２面の形成画像の天の向きが一致した状態になる。また、第２面への画像形成の際に用紙先端側に綴じ代９０が形成されるようにすれば用紙表裏で綴じ代の位置が合うことになる。この場合、綴じ代９０で綴じるとＡ面とＢ面の画像の天の向きが逆転した状態になるので、Ｂ面に形成すべき画像を本来の状態から１８０°回転させれば、両方の画像の天の向きが見開き時に合うことになる（図１４の欄１０７７参照）。
【００８８】
図１６（ａ）は、第１面への画像形成がパターン１の態様で、かつ綴じ代９０が装置奥側に形成される場合の例を示しており、図１６（ｂ）は、その用紙が第２面への画像形成のために給紙カセット３１にセットされた状態を上方から見たときの例を示す図である。
図１６（ｂ）の状態で用紙がセットされた場合、ＩＣタグ８が装置手前側／用紙先端側に位置するのでパターン２に相当し、そのまま画像形成を行うと第１面と第２面の形成画像の天の向きが同じ状態になる。また、第２面への画像形成の際に装置手前側に綴じ代９０が形成されるようにすれば用紙表裏で綴じ代の位置が合うことになる。この場合、製本の形態にするとＡ面とＢ面の画像の天の向きが丁度合う状態になり、Ｂ面に形成すべき画像を回転させる必要がないことになる（図１４の欄１０７８参照）。
【００８９】
また、図１6（ｃ）の状態の場合、ＩＣタグ８が装置奥側／用紙後端側に位置するのでパターン３に相当し、画像形成を行うと第１面と第２面の形成画像の天の向きが逆転した状態になる。また、第２面への画像形成の際に装置奥側に綴じ代９０が形成されるようにすれば用紙表裏で綴じ代の位置が合うことになる。この場合、製本の形態にするとＡ面とＢ面の画像の天の向きが逆転した状態になるので、Ｂ面に形成すべき画像を本来の状態から１８０°回転させれば、両方の画像の天の向きが合うことになる（図１４の欄１０７９参照）。
【００９０】
上記では、パターン１についてだけ説明したが、他のパターンも同様に、第１面への画像形成の際の用紙の態様（パターン番号）毎に、第１面と第２面の画像の天地が製本形態にしたときに合うように、第２面への画像形成の際の用紙の態様（パターン番号）、画像回転の要否、綴じ代の位置が予め決められて、判定情報テーブル１０７５として判定情報記憶部１０７に格納される。
【００９１】
このように、綴じ代を設ける場合にも画像の回転処理を必要に応じて実行することにより製本形態の第１面と第２面の画像の天地を合わせることが可能になる。
（第３の実施の形態）
上記実施の形態では、第１面と第２面の画像の天地が合うように画像回転処理を行う構成としたが、本実施の形態では、第１面と第２面が同じ画像形成条件でプリントされるようになっており、その点が異なっている。
【００９２】
図１７は、本実施の形態の制御部１００により実行されるプリント処理の内容を示すフローチャートである。なお、同図では、第１の実施の形態のプリント処理と内容が同じステップについては、同じ符号を付している。ここでは、異なる部分を中心に説明する。
同図に示すように、制御部１００は、第１面への画像形成が実行される場合には、ステップＳ１０〜１２、Ｓ３１、Ｓ１４〜１６、Ｓ３２の順に処理を実行する。ここで、ステップＳ３２では、第１面への画像形成の際の画像形成条件として、カラーとモノクロのいずれのモードでプリントされたのかを示す情報（画像形成条件に関する情報。以下、画像形成情報という。）をＩＣタグ８に書き込む。この意味で、制御部１００、ＩＣタグライター７１、７２等は、ステップＳ３２の処理を実行する場合に、第１面に形成される画像の画像形成条件に関する情報をＩＣタグに書き込む書込手段として機能するものである。
【００９３】
ステップＳ３１では、画像形成情報がＩＣタグ８に格納されているか否かを判断する。当該画像形成情報が格納されている場合には、第２面への画像形成ということになる。
ステップＳ３１で、画像形成情報が格納されていることを判断すると、ステップＳ３３において、読み出した画像形成条件から第１面がカラーとモノクロのいずれのモードでプリントされたのかを判断する。
【００９４】
カラーモードであることを判断すると（ステップＳ３３で「ＹＥＳ」）、第２面への作像をカラーモードで実行し（ステップＳ３４）、定着、排出、禁止情報の書き込み処理（ステップＳ２３〜Ｓ２５）を行って、当該処理を終了する。
一方、モノクロモードであることを判断すると（ステップＳ３３で「ＮＯ」）、第２面への作像をモノクロモードで実行し（ステップＳ３５）、ステップＳ２３に移る。この意味で、制御部１００は、ステップＳ３３の処理を実行する場合に、第２面への画像形成条件を決める決定手段として機能し、作像ユニットや制御部１００等は、ステップＳ３４、Ｓ３５等の処理を実行する場合に、決定された画像形成条件に基づいて第２面への画像形成を行う画像形成手段としてするものである。
【００９５】
これにより、例えば電源オン時や無操作状態が所定時間経過した時に自動的にモノクロモードに切り替わる構成である場合に、ユーザが第２面への画像形成に際しカラーモードを選択すべきところ、うっかりその選択を忘れても第２面は第１面と同じカラーモードで画像形成が実行されることになり、ユーザは自身の希望に沿った出力物を得ることが可能になり、ミスプリントを減らすことができる。
【００９６】
上記では、画像形成条件をプリントモードとした場合の例を説明したが、これに限られることはない。例えば、解像度、階調、倍率等とすれば、第１面と第２面が同じ解像度等の出力物を得られるようになる。なお、第２面への画像形成の際に、ユーザによりプリントモードがキー等から指定された場合には、その指定に従ってプリントを実行するとすれば、ユーザの希望をより反映することができる。
【００９７】
また、本実施の形態では、第２面への画像形成に際し、第１面への画像形成の際の画像形成条件が判れば良く、その意味で用紙上におけるＩＣタグ８の位置を特定する必要がない。従って、例えばＩＣタグライターを１つ配置して画像形成条件を書き込む構成をとることも可能である。このことは、ＩＣタグリーダーについても同様である。
本発明は、画像形成装置に限られず、第２面への画像形成の際に、用紙に装着されているＩＣタグから、第１面の画像の天地を示す情報（ＩＣタグの位置に対し画像の天がどの方向を向いているかを示す情報）または第１面への画像形成の際におけるプリントモード、解像度等の画像形成情報を読み出して、第２面に対する画像形成条件を決めるといった方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００９８】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００９９】
（変形例）
以上、本発明を実施の形態に基づいて説明してきたが、本発明は、上述の実施の形態に限定されないのは勿論であり、以下のような変形例が考えられる。
（１）上記実施の形態では、ＩＣタグリーダー６１、６２を用紙搬送方向に同位置になるように配置したが、用紙上のＩＣタグ８をいずれか一方のＩＣタグリーダーだけで検出できれば良く、例えば用紙搬送方向にずれた位置に配する構成としても良い。また、ＩＣタグリーダー６１、６２がＩＣタグ８の検出とＩＣタグ８への情報の読み出しの２つの機能を有するとしたが、当該検出と読み出しを別々に行うとしても良い。このことは、ＩＣタグライター７１、７２についても同様である。
【０１００】
（２）上記実施の形態では、ＩＣタグライター７１、７２を搬送路５０付近に配するとしたが、ＩＣタグの検出と書き込みが可能であれば、これに限られることはない。
例えば、給紙カセット３１または排出トレイ３８の内部やその付近に配する構成としても良い。また、給紙カセット３１に収容されている用紙の４つの角に対応する位置それぞれにＩＣタグライターを１つずつ配し（合計４個）、各ＩＣタグライターの通信の可否により用紙上のＩＣタグの位置を検出すると共に通信できたＩＣタグライターを用いてパターン情報を当該ＩＣタグに書き込む構成も考えられる。この構成とする場合、検出や書き込みタイミングとしては、例えば給紙前または給紙時とすることができる。同様に、排出トレイ３８への排出後の用紙についてＩＣタグの検出等を行うとしても良い。
【０１０１】
（３）ＩＣタグ８から読み出された情報に基づいて第２面への画像形成を実行する構成としていることから、ＩＣタグリーダー６１、６２については、搬送路５０付近の、より搬送方向上流側の位置に配することが望ましい。なお、ＩＣタグ８との通信可能範囲をより広くとるようにすれば、例えば二次転写位置３６１よりも下流側に配するといったことも可能であろう。
【０１０２】
また、ＩＣタグライターをＩＣタグリーダーの上流側に配置する場合には、第１面への画像形成の際にはＩＣタグリーダーによる読み取りを禁止する構成とすれば良い。
（４）上記実施の形態では、プリンタが用紙を横と縦の両方の姿勢で搬送可能な構成としたが、例えば、横または縦の一方の姿勢でしか搬送できない構成であれば、用紙姿勢が固定されるため、ＩＣタグの用紙上の位置（装置手前／奥側と先端／後端側）だけからパターン番号を決めるとしても良い。
【０１０３】
（５）上記実施の形態では、画像形成面、用紙方向、用紙姿勢の情報を、ＩＣタグの装着位置に関する情報としてＩＣタグ８に書き込むとしたが、これに限られることはない。
上記のように、画像形成面／用紙方向と、パターン番号（ＩＣタグの装着位置）とは、実質同義なので、例えば用紙上において、搬送方向に平行な軸であり搬送方向に直交する用紙幅方向長さを略２等分する点を含む縦軸（左右対称軸）と、搬送方向に直交する軸であり用紙搬送方向長さを略２等分する点を含む横軸（上下対称軸）とにより４分割したときの、ＩＣタグ８が位置する領域（位置情報）を、用紙姿勢の情報と合わせて書き込むとしても良い。
【０１０４】
また、領域でなくても、用紙上におけるＩＣタグ８の位置を座標位置で表し、その座標位置の情報を位置情報として書き込むとすることもできる。具体的には、搬送される用紙のＣＤ方向をＸ軸、用紙搬送方向をＹ軸として、そのＸ−Ｙ座標系における座標位置（Ｘ、Ｙ）でＩＣタグ８の用紙上の位置を表すものである。
この場合でも、ＩＣタグ８の座標位置がどの値をとればどのパターンに相当するのかを定義しておけば、第２面への画像形成の際にパターン情報を読み取る場合に、その用紙が正しくセットされているかを否か、誤ってセットされている場合に画像回転の要否を上記実施の形態と同様に判定することができる。要するに、第１面への画像形成の際の用紙上におけるＩＣタグの装着位置に関する情報（画像形成面等の情報、位置情報など）が書き込み／読み出しできる構成であれば、その情報から画像形成面と用紙方向等を特定できることになる。
【０１０５】
なお、座標位置としては、例えばＸ軸方向についてはＩＣタグ８と通信可能になったＩＣタグライター７１または７２のＸ軸上における位置、Ｙ軸方向については用紙先端検出からＩＣタグ８との通信可能時までの経過時間に搬送速度を乗算した値をＹ軸上における位置とすることなどが考えられる。このことはＩＣタグリーダー６１、６２についても同様である。
【０１０６】
（６）上記実施の形態では、画像形成装置をプリンタに適用した場合の例を説明したが、シート上におけるＩＣタグの位置の検出、当該ＩＣタグへのパターン情報の書き込み、読み取りの各処理を実行できるものであれば、カラーやモノクロ画像の形成に関わらず、例えば複写機、ＦＡＸ、ＭＦＰ（Multiple Function Peripheral）等の画像形成装置一般に適用できる。また、用紙を給紙カセット３１から繰り出す構成に限られないことはいうまでもなく、用紙を給紙口まで案内するためのテーブルを設け、ユーザが用紙を手動でテーブルに沿って給紙口に挿入する構成などにも適用できる。また、一旦機外に排出された第１面への画像形成済みの用紙の第２面への画像形成を実行できる構成であれば、給紙カセット３１に用紙を再セットする構成に限られない。例えば、第２面への画像形成を行う際には上記テーブルを利用するといったこともできる。上記実施の形態及び上記変形例をそれぞれ組み合わせるとしてもよい。
【産業上の利用可能性】
【０１０７】
本発明は、ＩＣタグが装着されたシートに画像形成を行う画像形成装置に広く適用することができる。
【図面の簡単な説明】
【０１０８】
【図１】第１の実施の形態におけるプリンタ１の全体構成を示す図である。
【図２】ＩＣタグリーダー６１、６２が配置されている様子を図１の矢印Ｂ方向から見たときの斜視図である。
【図３】用紙が横姿勢で搬送されるときの用紙の４つの態様と各態様のＩＣタグ８の位置関係を示した模式図である。
【図４】図３に示す４つの態様において画像形成面となる面に同じ正立画像を形成した場合の各態様を示す図である。
【図５】用紙が縦姿勢で搬送されるときの用紙の４つの態様と各態様のＩＣタグ８の位置関係を示した模式図である。
【図６】図５に示す４つの態様において画像形成面となる面に同じ正立画像を形成した場合の各態様を示す図である。
【図７】ＩＣタグリーダー６１、６２を図２の矢印Ｃ方向から見たときのＩＣタグ８との無線通信可能範囲を模式的に示す平面図である。
【図８】プリンタ１の制御部１００の構成を示したブロック図である。
【図９】制御部１００内のパターン情報記憶部１０６に格納されている対応情報テーブル１０６０の内容を示す図である。
【図１０】画像の横倒しが実行される場合の例を示す模式図である。
【図１１】制御部１００内の判定情報記憶部１０７に格納されている判定情報テーブル１０７０の内容を示す図である。
【図１２】画像回転処理がどのような条件で必要になるのかを説明するための模式図である。
【図１３】プリント処理の内容を示すフローチャートである。
【図１４】第２の実施の形態における判定情報テーブル１０７５の内容を示す図である。
【図１５】綴じ代形成時に画像回転処理がどのような条件で必要になるのかを説明するための模式図である。
【図１６】綴じ代形成時に画像回転処理がどのような条件で必要になるのかを説明するための別の模式図である。
【図１７】第３の実施の形態におけるプリント処理の内容を示すフローチャートである。
【符号の説明】
【０１０９】
１      プリンタ
８      ＩＣタグ
１０Ｙ〜１０Ｋ      作像ユニット
３１    給紙カセット
６１、６２      ＩＣタグリーダー
７１、７２      ＩＣタグライター
８０      操作パネル
９０      綴じ代
１００      制御部
【図１】
2007015294.tif 000003
【図２】
2007015294.tif 000004
【図３】
2007015294.tif 000005
【図４】
2007015294.tif 000006
【図５】
2007015294.tif 000007
【図６】
2007015294.tif 000008
【図７】
2007015294.tif 000009
【図８】
2007015294.tif 000010
【図９】
2007015294.tif 000011
【図１０】
2007015294.tif 000012
【図１１】
2007015294.tif 000013
【図１２】
2007015294.tif 000014
【図１３】
2007015294.tif 000015
【図１４】
2007015294.tif 000016
【図１５】
2007015294.tif 000017
【図１６】
2007015294.tif 000018
【図１７】
2007015294.tif 000019